(57)【要約】【課題】使用者が電子機器をどのような向きでホールドしても、操作部材を無理なく操作することができる電子機器を提供すること。【解決手段】ベース部材と、ベース部材に対して任意の方向にスライド操作することのできる操作部材と、付勢部材と、ベース部材から凸形状で配設される係合部と、ベース部材から凸形状で配設され、係合部の間に配置される突出部とが具備されており、付勢部材がベース部材から配設された係合部を付勢することで、操作部材をスライド動作した際に所定の位置に復帰させ、かつ、操作部材を揺動動作した際に所定の位置に復帰させることを特徴とする。【選択図】図７
2016133678.tif 000002
【特許請求の範囲】
【請求項１】
ベース部材（１５）と、
前記ベース部材に対して任意の方向にスライド操作することのできる操作部材（２２）と、
前記操作部材を任意の方向にスライドした際に所定の位置（中立の位置）に復帰させる付勢部材（５０）と、
前記ベース部材（１５）から凸形状で配設される係合部（１５ｏ、１５ｐ、１５ｑ、１５ｒ）と、
前記ベース部材（１５）から凸形状で配設され、前記係合部（１５ｏ、１５ｐ、１５ｑ、１５ｒ）の間に配置される突出部（１５ｔ、１５ｓ）とが具備されており、
前記係合部（１５ｏ、１５ｐ、１５ｑ、１５ｒ）は、一対であり、光軸を挟んで配置されており、
前記突出部（１５ｔ、１５ｓ）は、一対であり、前記操作部材がスライドする方向と直交して、光軸を通る軸上に配置されており、
前記操作部材（２２）は、前記一対の前記突出部（１５ｔ、１５ｓ）の先端を通る軸を中心に揺動しており、
前記付勢部材（５０）は、前記操作部材（２２）が揺動した際に所定の位置（中立の位置）に復帰させており、
前記付勢部材（５０）が前記ベース部材（１５）から配設された前記係合部（１５ｏ、１５ｐ、１５ｑ、１５ｒ）を付勢することで、
前記操作部材（２２）をスライド動作した際に所定の位置に復帰させ、かつ、前記操作部材（２２）を揺動動作した際に所定の位置に復帰させることを特徴とする電子機器。
【発明の詳細な説明】
【技術分野】
【０００１】
本発明は、スライドおよび揺動操作を同一の操作部材で行うことができる電子機器に関する。
【背景技術】
【０００２】
カメラを横位置にホールドした場合に人差し指が届きやすい箇所に横位置レリーズボタンを設け、カメラを縦位置にホールドした場合にも人差し指が届きやすい箇所に縦位置レリーズボタンを設けることが知られている（特許文献１参照）。
【０００３】
また、カメラのズーム操作に関して、操作部材を揺動させ、操作部材のシーソー方向により四組のスイッチ接点のスイッチング順序を変え、各々の方向で四段切換動作を行わせることが知られている（特許文献２参照）。
【先行技術文献】
【特許文献】
【０００４】
【特許文献１】特開２００４−３４３２８３号公報
【特許文献２】特開平６−２９０６８５号公報
【発明の概要】
【発明が解決しようとする課題】
【０００５】
しかしながら、特許文献１では、横位置レリーズボタンもしくは縦位置レリーズボタンが下向きになるような姿勢では、手首をひねった状態でカメラをホールドなければならず、非常に撮影しにくくなる。
【０００６】
特許文献２では、シーソースイッチの操作キー下面に突起を設けると共に、その下側に挿入された一枚の駆動板に二個の揺動部材を保持させ、操作キーのシーソー方向により四組のスイッチ接点のスイッチング順序を変え、各々の方向で四段切換動作を行わせるシーソースイッチ装置であって、操作部材を揺動動作だけでなく、垂直動作をさせることで、ズーム操作とレリーズ操作を同一部材で行い、操作性を改善する機構は開示されていない。
【０００７】
このような課題に鑑みて、本発明は、使用者が電子機器をどのような向きでホールドしても、操作部材を無理なく操作することができる電子機器を提供することを目的とする。
【課題を解決するための手段】
【０００８】
上記の目的を達成するために、本発明の電子機器は、
ベース部材（１５）と、
前記ベース部材に対して任意の方向にスライド操作することのできる操作部材（２２）と、
前記操作部材を任意の方向にスライドした際に所定の位置（中立の位置）に復帰させる付勢部材（５０）と、
前記ベース部材（１５）から凸形状で配設される係合部（１５ｏ、１５ｐ、１５ｑ、１５ｒ）と、
前記ベース部材（１５）から凸形状で配設され、前記係合部（１５ｏ、１５ｐ、１５ｑ、１５ｒ）の間に配置される突出部（１５ｔ、１５ｓ）とが具備されており、
前記係合部（１５ｏ、１５ｐ、１５ｑ、１５ｒ）は、一対であり、光軸を挟んで配置されており、
前記突出部（１５ｔ、１５ｓ）は、一対であり、前記操作部材がスライドする方向と直交して、光軸を通る軸上に配置されており、
前記操作部材（２２）は、前記一対の前記突出部（１５ｔ、１５ｓ）の先端を通る軸を中心に揺動しており、
前記付勢部材（５０）は、前記操作部材（２２）が揺動した際に所定の位置（中立の位置）に復帰させており、
前記付勢部材（５０）が前記ベース部材（１５）から配設された前記係合部（１５ｏ、１５ｐ、１５ｑ、１５ｒ）を付勢することで、
前記操作部材（２２）をスライド動作した際に所定の位置に復帰させ、かつ、前記操作部材（２２）を揺動動作した際に所定の位置に復帰させることを特徴とする。
【発明の効果】
【０００９】
本発明の電子機器によれば、使用者が電子機器をどのような向きでホールドしても、操作部材を無理なく操作することができ、ズーム操作部材とレリーズ操作部材を一体の部品とすることができる。
【図面の簡単な説明】
【００１０】
【図１】本発明の電子機器の一例であるデジタルカメラの外観斜視図である。
【図２】デジタルカメラのフロントカバーユニット１８の正面側から見た部分分解斜視図である。
【図３】デジタルカメラの正面側から見たフロントカバーユニット１８の分解斜視図である。
【図４】デジタルカメラの背面側から見たフロントカバーユニット１８の分解斜視図である。
【図５】バネユニット５０の分解斜視図である。
【図６】フロントインナー２０のバネ収納用凹部２０ａ、２０ｂにバネユニット５０を取り付けた状態を示す分解斜視図である。
【図７】操作部材２２、Ｙ方向移動リング１５、を説明する斜視図である。
【図８】カム部材２６、押し子部材３１、付勢バネ３２、ガイド部材３３の形状を説明する分解斜視図である。
【図９】操作部材２２がＸ１方向にスライド操作された場合の押し子部材３１の動きを説明する図である。
【図１０】操作部材２２がＹ１方向にスライド操作された場合の押し子部材３１の動きを説明する図である。
【発明を実施するための形態】
【００１１】
以下に、本発明の好ましい実施の形態を、添付の図面に基づいて詳細に説明する。
【００１２】
（第１の実施形態）
図１は本発明の電子機器の一例であるデジタルカメラの外観斜視図である。図１（ａ）はデジタルカメラを正面側（被写体側）から見た外観斜視図である。図１（ｂ）はデジタルカメラの背面側（撮影者側）から見た外観斜視図である。図１（ａ）および（ｂ）はレンズユニット３が繰り出された撮影可能状態である。
【００１３】
デジタルカメラを電源ＯＦＦ状態にすると、レンズユニット３がカメラ本体（装置本体）１から突出しない位置まで沈胴収納される。
【００１４】
表示ユニット２は、ヒンジ機構によりカメラ本体１に対して所定角度範囲で回動可能に支持されており、フレキシブル配線基板によりカメラ本体１に電気的に接続されている。図１（ａ）および（ｂ）はカメラ本体１に対し、さらに表示ユニット２が閉じられた状態を示している。表示部２ａは、例えば液晶パネルユニットなどが用いられており、撮影時の構図を確認するための画像および再生画像を表示する。表示部２ａには、静電容量式タッチパネルが組み込まれている。
【００１５】
レンズユニット３が繰り出された撮影可能状態となるとき、撮像素子に被写体像が結像される。電源ボタン４が押下されることで、撮影可能状態と電源オフ状態との間でデジタルカメラの動作状態が切り換えられる。電源ボタン４の押下によって、デジタルカメラが撮影可能状態となるとき、デジタルカメラの動作モードは撮影モードになる。
【００１６】
モード切り換えレバー５が操作されることで、デジタルカメラの撮影モードが切り換えられる。通信ボタン６が操作されることで、Ｗｉ−Ｆｉなどの無線通信が開始される。
【００１７】
デジタルカメラが撮影可能状態となっているとき、再生ボタン７が押下されることで、デジタルカメラの動作モードが撮影モードから再生モードへ切り換えられる。デジタルカメラが電源ＯＦＦ状態となっているとき、再生ボタン７が押下されることで、デジタルカメラは再生モードで起動する。
【００１８】
端子カバー８は、カメラ本体１に対しスライドおよび回動可能に支持されている。端子カバー８を開けると、ＵＳＢ端子やＨＤＭＩ（登録商標）端子などの外部接続端子が露出する。
【００１９】
ストラップベース９は、ストラップ紐を通すためのストラップベースであり、カメラの左側面、右側面に１つずつ、計２つ形成されている。電池蓋１０は、カメラ本体１に対し、スライドおよび回動可能に保持されている。電池蓋１０を開けると、電池を挿抜することができる。
【００２０】
カード蓋１１は、カメラ本体１に対しスライドおよび回動可能に取り付けられている。カード蓋１１を開けると、記録媒体を挿抜することができる。
【００２１】
照明窓１２は、透明部材からなり、カメラ内部に配置された発光素子の光を導光および拡散させる。この発光素子は、低照度撮影時や低照度時のＡＦ（オートフォーカス）動作時に発光する。
【００２２】
操作部材２２は、リング形状をしており、レンズユニット３の周囲に配置されている。操作部材２２は、カメラ本体１に対し、図中矢印の左右の方向と平行でかつレンズユニット３の光軸中心と交差する軸を中心にＰ方向およびＱ方向（図１（ａ）参照）に所定角度範囲で揺動するように構成されている。
【００２３】
操作部材２２をＰ方向に揺動させると、レンズユニット３の焦点距離が望遠側にズームし、Ｑ方向へ揺動させると、レンズユニット３の焦点距離が広角側にズームする。使用者が操作部材２２を揺動操作し、その後、操作部材２２から指を離すとバネにより、操作部材２２は中立位置に復帰する。
【００２４】
操作部材２２の外径全周部には、指掛かりが良くなるように凹凸形状部が形成されている。また、操作部材２２は、ズーム操作だけでなく、レリーズ操作も可能である。操作部材２２は、カメラ本体１に対し、レンズユニット３の光軸と直交する上方向および下方向、左方向および右方向（図１（ａ）参照）に、所定範囲でスライド操作することができる。操作部材２２を上下方向のスライド操作、すなわち下方向および上方向にスライド操作することで、レリーズ動作を実行させ、静止画撮影を実行することができる。同様に、操作部材２２を左右方向のスライド操作、すなわち左方向および右方向に操作することでも、レリーズ動作を実行させ、静止画撮影を実行することができる。
【００２５】
通常、デジタルカメラのレリーズスイッチは、２段スイッチで構成されている。レリーズスイッチの第１ストロークで１段目のスイッチ（ＳＷ１）がオンするとＡＦ（オートフォーカス）動作およびＡＥ（自動露出）動作を実行する。そして、レリーズスイッチの第２ストロークで２段目のスイッチ（ＳＷ２）がオンすると静止画撮影を実行する。
【００２６】
操作部材２２は、上下左右方向に所定範囲内でのみスライド操作することができる。また、操作部材２２は、上下方向のスライド操作または左右方向のスライド操作を解除すると、バネ力により、中立位置に復帰するように構成されている。
【００２７】
なお、図１（ａ）および（ｂ）では、操作部材２２が中立位置に位置している状態を示している。
【００２８】
次に、操作部材２２の構成を詳細に説明する。図２はデジタルカメラのフロントカバーユニット１８の正面側から見た部分分解斜視図である。図２（ａ）はフロントカバーユニット１８をカメラ本体１から取り外した状態である。図２（ｂ）はカメラ本体１から取り外したフロントカバーユニット１８を背面側から見た斜視図である。
【００２９】
図２（ａ）に図示するように、カメラ本体１内のレンズユニット３の右側には、カメラに電源を供給する電池が収納される電池室１６が配置され、レンズユニット３の左側にはメインＣＰＵなどを実装したメイン回路基板１７が配置されている。メイン回路基板１７、表示ユニット２およびレンズユニット３はフレキシブル配線板により電気的に接続されている。メイン回路基板１７には、フロントカバーユニット１８に取り付けられたフロントフレキシブル配線板の接続用コネクタ１７ａが実装されている。
【００３０】
フロントカバーユニット１８は、フロントカバー１９、フロントインナー２０、フロントフレキシブル配線板２１、操作部材２２で構成されている。
【００３１】
フロントカバー１９は、金属材料を絞り成型することで形成されている。フロントカバー１９の中央には開口部１９ａが形成されている。フロントインナー２０は、合成樹脂材料で形成されている。フロントカバー１９の開口部１９ａからフロントインナー２０の一部が露出するように、フロントインナー２０はフロントカバー１９の背面側に接着固定されている。
【００３２】
フロントインナー２０の中央には、開口部２０ｋが形成されている。フロントカバーユニット１８をカメラ本体１に取り付けると、レンズユニット３の一部がフロントインナー２０の開口部２０ｋの内側に位置する。カメラ本体１の電源をオンすると、レンズユニット３の一部がフロントインナー２０の開口部２０ｋから繰り出すようになっている。
【００３３】
フロントインナー２０は、操作部材２２を保持するベース部材として機能する。操作部材２２は、フロントインナー２０に対して所定範囲で揺動操作することができるように構成され、かつ、フロントインナー２０に対して所定範囲でスライド操作することができるように構成されている。
【００３４】
次に、図３から図７を用いて、フロントカバーユニット１８の詳細な構成を説明する。図３はデジタルカメラの正面側から見たフロントカバーユニット１８の分解斜視図であり、図４はデジタルカメラの背面側から見たフロントカバーユニット１８の分解斜視図である。
【００３５】
フロントインナー２０の背面側には、フロントフレキシブル配線板２１が取り付けられている。フロントフレキシブル配線板２１には、操作部材２２の揺動操作を検出するズーム検出スイッチ２１ｂが実装されている。
【００３６】
フロントフレキシブル配線板２１には、操作部材２２の上下方向のスライド操作と、左右方向のスライド操作を検出するレリーズスイッチ２１ｃが実装されている。レリーズスイッチ２１ｃは、２段スイッチで構成されている。操作部材２２を上下左右の何れかの方向にスライド操作して、レリーズスイッチ２１ｃの１段目のスイッチがオンすると、ＳＷ１信号がメイン回路基板１７に実装されるメインＣＰＵに伝えられ、ＡＦ動作およびＡＥ動作を実行する。さらに、操作部材２２を同じ方向にスライド操作すると、レリーズスイッチ２１ｃの２段目のスイッチがオンすると、ＳＷ２信号がメイン回路基板１７に実装されるメインＣＰＵに伝えられ、静止画撮影を実行する。ＳＷ１信号は第１の信号の一例であり、ＳＷ２信号は第２の信号の一例である。
【００３７】
本実施形態では、操作部材２２を上下左右の何れの方向に操作しても、レリーズスイッチ２１ｃからＳＷ１信号およびＳＷ２信号が出力される。フロントインナー２０は、ベース部材として機能する。操作部材２２は、フロントインナー２０に対して第１の方向（図１の上下方向、図３のＹ方向）および第１の方向と直交する第２の方向（図１の左右方向、図３のＸ方向）にスライド操作することのできる操作部材として機能する。レリーズスイッチ２１ｃは、スライド操作を検出するスイッチとして機能する。
【００３８】
フロントインナー２０の正面側には、フロントカバー１９が接着固定されている。フロントカバー１９の開口部１９ａから露出しているフロントインナー２０の正面側に、バネユニット５０が取り付けられている。バネユニット５０は、フロントインナー２０の開口部２０ｋの左右に１個ずつ取り付けられている。
【００３９】
フロントカバー１９の開口部１９ａから露出しているフロントインナー２０の正面側に、操作部材２２が配置される。図３および図４に示すように、操作部材２２の背面側には摺動シート２５が貼られている。
【００４０】
ここで、バネユニット５０について説明する。図５はバネユニット５０の分解斜視図である。バネユニット５０は、金属シャフト５１、コイルバネ５２、係合部材５３で構成されている。バネユニット５０は、金属シャフト５１にコイルバネ５２を装着し、コイルバネ５２の両端に係合部材５３が配置されるように、係合部材５３を金属シャフト５１に取り付ける。コイルバネ５２の上側巻き端部５２ａおよび下側巻き端部５２ｂの内径はコイルバネ５２の中央部分の内径より大きい。
【００４１】
係合部材５３は、合成樹脂材料で形成され、コイルバネ５２の上側巻き端部５２ａおよび下側巻き端部５２ｂに接触するように、金属シャフト５１に取り付けられる。係合部材５３を金属シャフト５１に取り付けると、金属シャフト５１の両端は係合部材５３を貫通して係合部材５３から突出する。コイルバネ５２の中央部分は、金属シャフト５１にガイドされる部分となり、金属シャフト５１の外径とコイルバネ５２の中央部分の内径のクリアランスは動作に問題ない程度に十分に小さくしている。これによって、金属シャフト５１の外径とコイルバネ５２の内径との干渉による振動音の発生を低減している。
【００４２】
ここで、バネユニット５０のフロントインナー２０への取り付けについて説明する。フロントカバー１９の開口部１９ａから露出しているフロントインナー２０の正面側には、バネ収納用凹部２０ａ、２０ｂが形成されている。バネ収納用凹部２０ａは、フロントインナー２０の開口部２０ｋの左側に形成され、バネ収納用凹部２０ｂは、フロントインナー２０の開口部２０ｋの右側に形成されている。バネ収納用凹部２０ａ、２０ｂには、バネユニット５０がそれぞれ取り付けられる。バネユニット５０のうち、金属シャフト５１の両端に取り付けられた係合部材５３がバネ収納用凹部２０ａまたは２０ｂにそれぞれ係合する。このとき、コイルバネ５２が圧縮された状態で、バネユニット５０はバネ収納用凹部２０ａまたは２０ｂに取り付けられる。
【００４３】
図６はフロントインナー２０の背面側にフロントフレキシブル配線板２１を取り付け、フロントインナー２０のバネ収納用凹部２０ａ、２０ｂにバネユニット５０を取り付けた状態を示す分解斜視図である。図７は操作部材２２、Ｙ方向移動リング１５、操作部材２２を説明する斜視図である。
【００４４】
操作部材２２は、意匠性、強度の観点から、合成樹脂材料からなる操作部材２２と金属性のレリーズキャップが接着されている。操作部材２２はリング形状を有している。
【００４５】
フロントカバー１９の開口部１９ａから露出しているフロントインナー２０の正面側であって、操作部材２２の内側には、Ｙ方向移動リング１５がＹ方向にのみ移動することができるように取り付けられている。図７（ｂ）に示すように、Ｙ方向移動リング１５の背面側には、軸部１５ｃ、１５ｄ、１５ｅ、１５ｆが突出形成されている。フロントカバー１９の開口部１９ａから露出しているフロントインナー２０の正面側には、長穴部２０ｆ、２０ｇ、２０ｈ、２０ｉが形成されている。軸部１５ｃ、１５ｄ、１５ｅ、１５ｆが長穴部２０ｆ、２０ｇ、２０ｉ、２０ｈにそれぞれ挿入される。長穴部２０ｆ、２０ｇ、２０ｉ、２０ｈは、Ｙ方向に長い長穴形状を有している。
【００４６】
これによって、Ｙ方向移動リング１５はＹ方向にのみ移動することができる。Ｙ方向移動リング１５は、フロントインナー２０に対して第１の方向にのみ移動可能に取り付けられる移動部材として機能する。軸部１５ｃ、１５ｄ、１５ｅ、１５ｆと、長穴部２０ｆ、２０ｇ、２０ｉ、２０ｈは、フロントインナー２０に対してＹ方向移動リング１５を第１の方向（Ｙ方向）にのみ移動するようにガイドする第１のガイド手段として機能する。
【００４７】
軸部１５ｃ、１５ｄ、１５ｅ、１５ｆが長穴部２０ｆ、２０ｇ、２０ｉ、２０ｈに挿入された後、保持プレート２８がフロントインナー２０を貫通した軸部１５ｃ、１５ｄ、１５ｅ、１５ｆにビスで固定される。したがって、Ｙ方向移動リング１５と保持プレート２８との間に、フロントインナー２０が挟まれる状態で、Ｙ方向移動リング１５はフロントインナー２０に取り付けられている。
【００４８】
図７（ｂ）に示すように、Ｙ方向移動リング１５の背面側には、係合部１５ｏ、１５ｐ、１５ｑ、１５ｒが突出形成されている。Ｙ方向移動リング１５をフロントインナー２０に取り付けると、バネ収納用凹部２０ａに取り付けられた係合部材５３と、係合部１５ｏ、１５ｐとが、それぞれ係合する。Ｙ方向移動リング１５をフロントインナー２０に取り付けると、バネ収納用凹部２０ｂに取り付けられた係合部材５３と、係合部１５ｑ、１５ｒとが、それぞれ係合する。Ｙ方向移動リング１５をフロントインナー２０に取り付けると、係合部１５ｏ、１５ｐ、１５ｑ、１５ｒは、バネ収納用凹部２０ａ、２０ｂに取り付けられたバネユニット５０のコイルバネ５２の上側巻き端部５２ａもしくは下側巻き端部５２ｂに接触する。
【００４９】
これによって、Ｙ方向移動リング１５は、バネ収納用凹部２０ａ、２０ｂにそれぞれ取り付けられたバネユニット５０によってＹ方向において中立位置に付勢される。なお、Ｙ方向移動リング１５をフロントインナー２０に取り付けた状態では、バネ収納用凹部２０ａ、２０ｂに取り付けられたバネユニット５０は、Ｙ方向移動リング１５の投影面内に配置されている。バネ収納用凹部２０ａ、２０ｂにそれぞれ取り付けられたバネユニット５０は、Ｙ方向移動リング１５をＹ方向移動リング１５の移動可能範囲における中立位置に付勢する第１の付勢部材として機能する。
【００５０】
Ｙ方向移動リング１５の正面側には、図３に示されるようにバネ収納用凹部１５ａ、１５ｂが形成されている。バネ収納用凹部１５ａは、Ｙ方向移動リング１５の上側に形成され、バネ収納用凹部１５ｂは、Ｙ方向移動リング１５の下側に形成されている。バネ収納用凹部１５ａ、１５ｂには、バネユニット５０がそれぞれ取り付けられる。バネユニット５０のうち、金属シャフト５１の両端に取り付けられた係合部材５３がバネ収納用凹部１５ａまたは１５ｂにそれぞれ係合する。このとき、コイルバネ５２が圧縮された状態で、バネユニット５０はバネ収納用凹部１５ａまたは１５ｂに取り付けられる。
【００５１】
Ｙ方向移動リング１５の正面側には、操作部材２２がＸ方向にのみ移動することができるように取り付けられている。図７（ａ）に示すように、操作部材２２の背面側には、軸部２２ｅ、２２ｆ、２２ｇ、２２ｈが突出形成されている。図７（ｂ）に示すように、Ｙ方向移動リング１５には、長穴部１５ｇ、１５ｈ、１５ｉ、１５ｊが形成されている。軸部２２ｅ、２２ｆ、２２ｇ、２２ｈが長穴部１５ｇ、１５ｈ、１５ｉ、１５ｊにそれぞれ挿入される。長穴部１５ｇ、１５ｈ、１５ｉ、１５ｊは、Ｘ方向に長い長穴形状を有している。
【００５２】
これによって、操作部材２２はＹ方向移動リング１５に対してＸ方向にのみ移動することができる。操作部材２２は、Ｙ方向移動リング１５に対して第２の方向にのみ移動可能に取り付けられる操作部材として機能する。軸部２２ｅ、２２ｆ、２２ｇ、２２ｈと、長穴部１５ｇ、１５ｈ、１５ｉ、１５ｊは、Ｙ方向移動リング１５に対して、操作部材２２を第２の方向（Ｘ方向）にのみ移動するようにガイドする第２のガイド手段として機能する。
【００５３】
図７（ａ）に示すように、操作部材２２の背面側には、軸部２２ａ、２２ｂ、２２ｃ、２２ｄが突出形成されている。図７（ｂ）に示すように、Ｙ方向移動リング１５には、長穴部１５ｋ、１５ｌ、１５ｍ、１５ｎが形成されている。軸部２２ａ、２２ｂ、２２ｃ、２２ｄが長穴部１５ｋ、１５ｌ、１５ｍ、１５ｎにそれぞれ挿入される。長穴部１５ｋ、１５ｌ、１５ｍ、１５ｎは、Ｘ方向に長い長穴形状を有している。これによって、操作部材２２はＹ方向移動リング１５に対してＸ方向にのみ移動することができる。長穴部１５ｋを貫通した軸部２２ａには、ビス２４が取り付けられ、操作部材２２とビス２４との間に、Ｙ方向移動リング１５が挟まれる。軸部２２ａ、２２ｂ、２２ｃ、２２ｄと、長穴部１５ｋ、１５ｌ、１５ｍ、１５ｎは、Ｙ方向移動リング１５に対して、操作部材２２を第２の方向（Ｘ方向）にのみ移動するようにガイドする第２のガイド手段として機能する。
【００５４】
軸部２２ｂは、長穴部１５ｌおよびフロントインナー２０に形成される穴部２０ｅに挿入される。軸部２２ｃは、長穴部１５ｍおよびフロントインナー２０に形成される穴部２０ｄに挿入される。カム部材２６は、長穴部１５ｌおよび穴部２０ｅを貫通した軸部２２ｂと、長穴部１５ｍおよび穴部２０ｄを貫通した軸部２２ｃとにビスによって固定される。したがって、操作部材２２とカム部材２６との間に、Ｙ方向移動リング１５およびフロントインナー２０が挟まれた状態で、操作部材２２とカム部材２６とが一体化される。すなわち、カム部材２６は、操作部材２２と一体的にスライド移動することのできるカム部材として機能する。
【００５５】
軸部２２ｄは、長穴部１５ｎおよびフロントインナー２０に形成される穴部２０ｃに挿入される。長穴部１５ｎおよび穴部２０ｃを貫通して軸部２２ｄには、保持プレート２７がビスで固定される。したがって、操作部材２２と保持プレート２７との間に、Ｙ方向移動リング１５およびフロントインナー２０が挟まれる状態となる。
【００５６】
図７（ａ）に示すように、操作部材２２の背面側には、係合部２２ｉ、２２ｊ、２２ｋ、２２ｌが突出形成されている。操作部材２２をＹ方向移動リング１５に取り付けると、バネ収納用凹部１５ａにそれぞれ取り付けられた係合部材５３と、係合部２２ｉ、２２ｊとが、それぞれ係合する。操作部材２２をＹ方向移動リング１５に取り付けると、バネ収納用凹部１５ｂに取り付けられた係合部材５３と、係合部２２ｋ、２２ｌとが、それぞれ係合する。操作部材２２をＹ方向移動リング１５に取り付けると、係合部２２ｉ、２２ｊ、２２ｋ、２２ｌは、バネ収納用凹部１５ａ、１５ｂに取り付けられたバネユニット５０のコイルバネ５２の上側巻き端部５２ａもしくは下側巻き端部５２ｂに接触する。
【００５７】
これによって、操作部材２２は、バネ収納用凹部１５ａ、１５ｂにそれぞれ取り付けられたバネユニット５０によってＸ方向において中立位置に付勢されている。なお、操作部材２２をＹ方向移動リング１５に取り付けた状態では、バネ収納用凹部１５ａ、１５ｂにそれぞれ取り付けられたバネユニット５０は、操作部材２２の投影面内に配置されている。Ｙ方向移動リング１５は操作部材２２の投影面内に配置されているので、バネ収納用凹部１５ａ、１５ｂにそれぞれ取り付けられたバネユニット５０もまた操作部材２２の投影面内に配置されている。バネ収納用凹部１５ａ、１５ｂにそれぞれ取り付けられたバネユニット５０は、操作部材２２を操作部材２２の操作可能範囲における中立位置に付勢する第２の付勢部材として機能する。
【００５８】
操作部材２２がＸ方向にスライド操作される場合には、操作部材２２はＹ方向移動リング１５に対してＸ方向にスライドする。このとき、Ｙ方向移動リング１５はフロントインナー２０に対してスライドしない。操作部材２２がＹ方向にスライド操作される場合には、操作部材２２およびレリーズキャップ２３からなる操作部材２２と、Ｙ方向移動リング１５とが一体となってフロントインナー２０に対してスライドする。このとき、操作部材２２はＹ方向移動リング１５に対してスライドしない。
【００５９】
次に、操作部材２２のズーム動作をする際の揺動動作を説明する。図７より、Ｙ方向移動リング１５には、１５ｔ、１５ｓが突出形成されている。操作部材２２をＰ方向およびＱ方向（図１（ａ）参照）に動作をさせると、１５ｔ、１５ｓの先端が支点となり、１５ｔ、１５ｓの先端を通る軸を中心に揺動する。１５ｔ、１５ｓの先端を通る軸は、光軸と交差する。バネユニット５０は、突出部１５ｔ、１５ｓよりもレンズユニット３に近い位置に配置されている。
【００６０】
操作部材２２をＰ方向に揺動させるとバネユニット５０のコイルバネ５２の上側巻き端部５２ａに凸形状１５ｑ、１５ｏが接触する。コイルバネ５２の上側巻き端部５２ａに凸形状１５ｑ、１５ｏが接触すると、Ｐ方向とは逆の付勢力が操作部材２２に加わり、揺動動作を解除すると、操作部材２２は、中立の位置に戻る。
【００６１】
操作部材２２をＱ方向に揺動させるとバネユニット５０のコイルバネ５２の下側巻き端部５２ｂに凸形状１５ｒ、１５ｐが接触する。コイルバネ５２の下側巻き端部５２ｂに凸形状１５ｒ、１５ｐが接触すると、Ｑ方向とは逆の付勢力が操作部材２２に加わり、揺動動作を解除すると、操作部材２２は、中立の位置に戻る。
【００６２】
バネユニット５０は、操作部材２２をＹ方向の中立位置と揺動動作の中立位置の状態を保つ働きをする。
【００６３】
本実施例では、揺動動作のＰ方向とＱ方向は、レンズユニット３の光軸を通る左右の軸を中心に揺動するように構成されているが、前述した機構を９０度回転させ、レンズユニット３の光軸を通る上下の軸を中心に揺動するように構成しても良い。
【００６４】
図８はカム部材２６、押し子部材３１、付勢バネ３２、ガイド部材３３の形状を説明する分解斜視図である。図８（ａ）は正面側からカム部材２６、押し子部材３１、付勢バネ３２、ガイド部材３３を見た分解斜視図である。図８（ａ）では、フロントインナー２０を省略している。図８（ｂ）は背面側からフロントインナー２０、カム部材２６、押し子部材３１、付勢バネ３２、ガイド部材３３を見た分解斜視図である。
【００６５】
図８（ｂ）に示すように、カム部材２６の背面側には、略すり鉢形状のカム部２６ａ、２６ｂが形成されている。カム部材２６の背面側には、押し子部材３１が配置されている。押し子部材３１には、摺動部３１ａ、第１の軸部３１ｂ、凹部３１ｃ、第２の軸部３１ｄが形成されている。図８（ｂ）に示すように、第１の軸部３１ｂは、摺動部３１ａから正面側に突出形成され、第２の軸部３１ｄは、摺動部３１ａから背面側に突出形成されている。凹部３１ｃは、摺動部３１ａの背面側がくり抜かれるような形で形成されている。
【００６６】
押し子部材３１をカム部材２６の背面側に配置すると、摺動部３１ａは、カム部材２６のカム部２６ａ、２６ｂと摺動する。このとき、第１の軸部３１ｂは、カム部材２６を貫通して、フロントインナー２０に形成されるガイド穴２０ｌに挿入される。
【００６７】
押し子部材３１の背面側には、ガイド部材３３が配置されている。ガイド部材３３には、ガイド穴３３ａが形成されている。押し子部材３１の凹部３１ｃに付勢バネ３２を配置して、ガイド部材３３をフロントインナー２０の背面側にビスで固定する。このとき、押し子部材３１の第２の軸部３１ｄはガイド穴３３ａに挿入される。押し子部材３１はフロントインナー２０とガイド部材３３との間に挟まれた状態で取り付けられている。この時、押し子部材３１は、第１の軸部３１ｂおよび第２の軸部３１ｄの軸方向に沿って移動可能に取り付けられており、付勢バネ３２によって摺動部３１ａがカム部２６ａ、２６ｂに押し付けられている。
【００６８】
ガイド部材３３の背面側には、フロントフレキシブル配線板２１に実装されたレリーズスイッチ２１ｃが配置されている。付勢バネ３２に抗して押し子部材３１が背面側へ移動すると、第２の軸部３１ｄの先端がレリーズスイッチ２１ｃを押し込む。第２の軸部３１ｄの先端がレリーズスイッチ２１ｃを第１の押し込み量だけ押し込むことで、レリーズスイッチ２１ｃの１段目のスイッチがオンする。さらに、第２の軸部３１ｄの先端がレリーズスイッチ２１ｃを第２の押し込み量だけ押し込むことで、レリーズスイッチ２１ｃの２段目のスイッチがオンする。したがって、第２の軸部３１ｄは、レリーズスイッチ２１ｃを押圧することができる軸部として機能する。
【００６９】
図９は操作部材２２がＸ１方向にスライド操作された場合の押し子部材３１の動きを説明する図である。図９（ａ）はフロントカバーユニット１８を正面から見た図である。Ｘ１方向は、図９（ａ）の矢印で定義する。図９（ｂ）は操作部材２２が中立位置の状態にあるときのフロントカバーユニット１８のＢ−Ｂ断面図である。図９（ｃ）は操作部材２２が中立位置からＸ１方向にスライド操作された状態にあるときのフロントカバーユニット１８のＢ−Ｂ断面図である。
【００７０】
図９（ｂ）に示すように、操作部材２２が中立位置にあるとき、押し子部材３１は付勢バネ３２の付勢力によってカム部材２６のカム部２６ａ、２６ｂに当接している。このとき、第２の軸部３１ｄの先端はレリーズスイッチ２１ｃに接触しておらず、第２の軸部３１ｄの先端とレリーズスイッチ２１ｃとの間には、隙間ができている。この状態から操作部材２２をＸ１方向にスライド操作すると、押し子部材３１の摺動部３１ａがカム部２６ｂを摺動しながら移動し、付勢バネ３２に抗して押し子部材３１が背面側へ移動する。付勢バネ３２に抗して押し子部材３１が背面側へ移動すると、第２の軸部３１ｄの先端とレリーズスイッチ２１ｃとの間の隙間が徐々に小さくなって、第２の軸部３１ｄの先端がレリーズスイッチ２１ｃに接触して、レリーズスイッチ２１ｃを押し込む。
【００７１】
図１０は操作部材２２がＹ１方向にスライド操作された場合の押し子部材３１の動きを説明する図である。図１０（ａ）はフロントカバーユニット１８を正面から見た図である。Ｙ１方向は、図１０（ａ）の矢印で定義する。図１０（ｂ）は操作部材２２が中立位置の状態にあるときのフロントカバーユニット１８のＡ−Ａ断面図である。図１０（ｃ）は操作部材２２が中立位置からＹ１方向にスライド操作された状態にあるときのフロントカバーユニット１８のＡ−Ａ断面図である。
【００７２】
図１０（ｂ）に示すように、操作部材２２が中立位置にあるとき、押し子部材３１は付勢バネ３２の付勢力によってカム部材２６のカム部２６ａ、２６ｂに当接している。このとき、第２の軸部３１ｄの先端はレリーズスイッチ２１ｃに接触しておらず、第２の軸部３１ｄの先端とレリーズスイッチ２１ｃとの間には、隙間ができている。この状態から操作部材２２をＹ１方向にスライド操作すると、押し子部材３１の摺動部３１ａがカム部２６ａを摺動しながら移動し、付勢バネ３２に抗して押し子部材３１が背面側へ移動する。付勢バネ３２に抗して押し子部材３１が背面側へ移動すると、第２の軸部３１ｄの先端とレリーズスイッチ２１ｃとの間の隙間が徐々に小さくなって、第２の軸部３１ｄの先端がレリーズスイッチ２１ｃに接触して、レリーズスイッチ２１ｃを押し込む。
【００７３】
ここで、押し子部材３１の移動方向（Ｚ方向）に対するカム部２６ａの傾斜角度をθａとし、押し子部材３１の移動方向（Ｚ方向）に対するカム部２６ｂの傾斜角度をθｂとする。本実施形態では、操作部材２２がＹ方向にスライド操作された場合と、Ｘ方向にスライド操作された場合とで、第２の軸部３１ｄがレリーズスイッチ２１ｃを押し込むために必要なスライド操作量が異なるように、カム部２６ａ、２６ｂを形成している。
【００７４】
本実施形態では、傾斜角度θａが傾斜角度θｂより大きくなるように、カム部２６ａ、２６ｂを形成している。したがって、第２の軸部３１ｄの先端がレリーズスイッチ２１ｃを押し込むまでに必要な操作部材２２のスライド操作量は、Ｙ方向の方がＸ方向より大きくなる。すなわち、操作部材２２をＸ方向にスライド操作する場合には、第２の軸部３１ｄの先端がレリーズスイッチ２１ｃを押し込むために必要なスライド操作量が比較的小さい。一方、操作部材２２をＹ方向にスライド操作する場合には、第２の軸部３１ｄの先端がレリーズスイッチ２１ｃを押し込むために必要なスライド操作量が比較的大きい。なお、カム部２６ａとカム部２６ｂとの境界部分では、傾斜角度の違いを滑らかにつないでいる。これによって、操作部材２２をＸ方向とＹ方向の中間となる斜め方向にスライド操作した場合にも、違和感が生じにくくなる。
【００７５】
第２の軸部３１ｄの先端がレリーズスイッチ２１ｃを押し込むために必要なスライド量が小さいほど、第２の軸部３１ｄの先端がレリーズスイッチ２１ｃを押し込むために必要な力は大きくなる。第２の軸部３１ｄの先端がレリーズスイッチ２１ｃを押し込むために必要なスライド量が大きいほど、第２の軸部３１ｄの先端がレリーズスイッチ２１ｃを押し込むために必要な力は小さくなる。すなわち、傾斜角度が小さいほど、操作部材２２のスライド操作が重くなる。
【００７６】
本実施形態では、操作部材２２をＸ方向にスライド操作する場合には、操作部材２２をＹ方向移動リング１５に対してスライドさせるだけである。したがって、カム部２６ｂの傾斜角度θｂを小さくしても、操作部材２２のスライド操作は極端に重くなることはない。一方、操作部材２２をＹ方向にスライド操作する場合には、操作部材２２およびＹ方向移動リング１５をフロントインナー２０に対してスライドさせることになる。したがって、スライドさせる部材の数が増える分だけ、スライド操作に必要な力は増加する。仮に、カム部２６ａの傾斜角度θａを小さくした場合、操作部材２２の操作性を低下させてしまう可能性がある。
【００７７】
本実施形態は、このような点を考慮して、カム部２６ａ、２６ｂの傾斜角度を決めている。すなわち、操作部材２２をＸ方向にスライド操作しても、Ｙ方向にスライド操作しても、レリーズスイッチ２１ｃをオンするための力がほぼ等しくなるように、カム部２６ａ、２６ｂの傾斜角度を設定している。
【００７８】
本実施例では、Ｘ方向、Ｙ方向の動作に関して記載しているが、Ｘ方向、Ｙ方向だけでなく、操作部材２２をどの方向にスライド操作してもレリーズスイッチ２１ｃを操作することができる。
【００７９】
本実施形態では、操作部材２２をＸ方向にスライド操作するとき、押し子部材３１の第１の軸部３１ｂを中心として、操作部材２２が回転することが考えられる。この場合には、操作部材２２の軸部２２ｄがフロントインナー２０に形成される穴部２０ｃの縁に当接することで、操作部材２２の回転を制限している。すなわち、操作部材２２の軸部２２ｄは、操作部材２２のフロントインナー２０に対する回転を規制する規制手段として機能する。
【００８０】
操作部材２２をＸ方向およびＹ方向にスライド操作した場合に、レリーズスイッチ２１ｃの２段目のスイッチがオンした後に、軸部２２ｄと穴部２０ｃの縁とが当接するように、穴部２０ｃの直径が決められている。したがって、軸部２２ｄと穴部２０ｃの縁とが当接してしまうことで、レリーズスイッチ２１ｃの２段目のスイッチがオンすることができないということは起こらない。
【符号の説明】
【００８１】
１５ｔ，１５ｓ  突出部、１５ｏ，１５ｐ，１５ｑ，１５ｒ  係合部、
２１ｃ  レリーズスイッチ、２２  操作部材、５０  付勢バネ
【図１】
2016133678.tif 000003
【図２】
2016133678.tif 000004
【図３】
2016133678.tif 000005
【図４】
2016133678.tif 000006
【図５】
2016133678.tif 000007
【図６】
2016133678.tif 000008
【図７】
2016133678.tif 000009
【図８】
2016133678.tif 000010
【図９】
2016133678.tif 000011
【図１０】
2016133678.tif 000012